(57)【要約】【課題】単なる広告掲載にとどまらず、宅配便利用者による宅配便業者のキャンペーンサイトへのアクセスを可能とし、新たな商品の注文に伴う宅配便利用の増加を図ることができ、且つ景品当選といった宅配便利用者にとっての別の楽しみをも付加し得、宅配便業者、広告スポンサー、取次店、送り主、並びに受け取り主それぞれにとって有益となる宅配便活用広告情報供給システムを提供する。【解決手段】宅配伝票１の裏面における剥離紙２に、宅配物に貼り付け可能な広告シール４を予め貼り付け、該広告シール４に、広告を掲載し、携帯電話機による読み取りに対応して宅配便業者のキャンペーンサイトにアクセスするための二次元コードを印字すると共に、インターネット上の宅配便業者のキャンペーンサイトにアクセスするためのＵＲＬを印字し、更に、抽選番号を印字する。【選択図】図１
2009014976.tif 000002
【特許請求の範囲】
【請求項１】
宅配伝票が貼り付けられる宅配物に、広告が掲載され且つ携帯電話機による読み取りに対応して宅配便業者のキャンペーンサイトにアクセスするための二次元コードが印字された広告シールを貼り付けて発送することを特徴とする宅配便活用広告情報供給システム。
【請求項２】
前記広告シールに、インターネット上の宅配便業者のキャンペーンサイトにアクセスするためのＵＲＬを印字した請求項１記載の宅配便活用広告情報供給システム。
【請求項３】
前記広告シールに、抽選番号を印字し、前記宅配便業者のキャンペーンサイトに当選番号を記載し、該当選番号と合致する抽選番号が印字された広告シールを景品と交換できるようにした請求項１又は２記載の宅配便活用広告情報供給システム。
【請求項４】
前記宅配便業者のキャンペーンサイトから全国各地の名産品を掲載したページにアクセス可能とし、商品を注文できるようにした請求項１〜３のいずれか一つに記載の宅配便活用広告情報供給システム。
【請求項５】
前記商品の注文者のリストをデータベースとして管理し、商品の案内を前記注文者に送るようにした請求項４記載の宅配便活用広告情報供給システム。
【請求項６】
前記宅配伝票の裏面における剥離紙に、前記宅配物に貼り付け可能な広告シールを予め貼り付けておくようにした請求項１〜５のいずれか一つに記載の宅配便活用広告情報供給システム。
【発明の詳細な説明】
【技術分野】
【０００１】
本発明は、宅配便活用広告情報供給システムに関するものである。
【背景技術】
【０００２】
近年、宅配便は、比較的小さな荷物を各戸へ配送する輸送便で、路線トラックにおける事業のうち、特別積合せ事業の一形態であり、荷主の戸口から届け先の戸口までの迅速な配達を特徴とするものであるが、店舗網の拡大が始まったコンビニエンスストアを発送窓口にしたり、対象地区の拡大や高速道路網の拡充による配送時間の短縮化に連動して急速に取扱量が増えており、現在、宅配便の個数はその普及と相俟って年間数十億個となっている。
【０００３】
このように非常に個数の多い宅配便に広告を掲載すれば、宅配便を新たな広告媒体として活用することができる。
【０００４】
尚、宅配便を利用した広告に関する一般的技術水準を示すものとしては、例えば、特許文献１がある。
【特許文献１】特開２００６−８２５４２号公報
【発明の開示】
【発明が解決しようとする課題】
【０００５】
前記特許文献１に開示されたものは、配送情報が記録されて宅配物に貼り付けられる宅配伝票に特定の商品情報やイメージを知らせるための広告を掲載し、宅配伝票が該宅配伝票としての本来の役割だけでなく、宅配便利用者に対し広告を強く認識させ得る効果的な広告手段としての役割をも果たすようにしたものであるが、単に広告を掲載するだけではインパクトが弱く、改善の余地が残されていた。
【０００６】
本発明は、斯かる実情に鑑み、単なる広告掲載にとどまらず、宅配便利用者による宅配便業者のキャンペーンサイトへのアクセスを可能とし、新たな商品の注文に伴う宅配便利用の増加を図ることができ、且つ景品当選といった宅配便利用者にとっての別の楽しみをも付加し得、宅配便業者、広告スポンサー、取次店、送り主、並びに受け取り主それぞれにとって有益となる宅配便活用広告情報供給システムを提供しようとするものである。
【課題を解決するための手段】
【０００７】
本発明は、宅配伝票が貼り付けられる宅配物に、広告が掲載され且つ携帯電話機による読み取りに対応して宅配便業者のキャンペーンサイトにアクセスするための二次元コードが印字された広告シールを貼り付けて発送することを特徴とする宅配便活用広告情報供給システムにかかるものである。
【０００８】
前記宅配便活用広告情報供給システムにおいては、前記広告シールに、インターネット上の宅配便業者のキャンペーンサイトにアクセスするためのＵＲＬを印字しても良い。
【０００９】
前記宅配便活用広告情報供給システムにおいては、前記広告シールに、抽選番号を印字し、前記宅配便業者のキャンペーンサイトに当選番号を記載し、該当選番号と合致する抽選番号が印字された広告シールを景品と交換できるようにすることが有効となる。
【００１０】
前記宅配便活用広告情報供給システムにおいては、前記宅配便業者のキャンペーンサイトから全国各地の名産品を掲載したページにアクセス可能とし、商品を注文できるようにすることもできる。
【００１１】
前記宅配便活用広告情報供給システムにおいては、前記商品の注文者のリストをデータベースとして管理し、商品の案内を前記注文者に送るようにしても良い。
【００１２】
前記宅配便活用広告情報供給システムにおいては、前記宅配伝票の裏面における剥離紙に、前記宅配物に貼り付け可能な広告シールを予め貼り付けておくようにすることができる。
【発明の効果】
【００１３】
本発明の宅配便活用広告情報供給システムによれば、単なる広告掲載にとどまらず、宅配便利用者による宅配便業者のキャンペーンサイトへのアクセスを可能とし、新たな商品の注文に伴う宅配便利用の増加を図ることができ、且つ景品当選といった宅配便利用者にとっての別の楽しみをも付加し得、宅配便業者、広告スポンサー、取次店、送り主、並びに受け取り主それぞれにとって有益となるという優れた効果を奏し得る。
【発明を実施するための最良の形態】
【００１４】
以下、本発明の実施の形態を添付図面を参照して説明する。
【００１５】
図１〜図７は本発明を実施する形態の一例であって、図１に示す如く、届け先や依頼主の住所、氏名、電話番号等が記入される複数枚綴りの宅配伝票１の裏面における剥離紙２に、宅配物３（図２参照）に貼り付け可能な広告シール４を予め貼り付け、該広告シール４に、広告を掲載し、携帯電話機による読み取りに対応して宅配便業者のキャンペーンサイトにアクセスするための二次元コードを印字すると共に、インターネット上の宅配便業者のキャンペーンサイトにアクセスするためのＵＲＬ（Uniform Resource Locator）を印字し、更に、抽選番号を印字する。
【００１６】
前記二次元コードとしては、例えば、白と黒の格子状のパターンで情報を表すＱＲコード（登録商標）（ＱＲ：Quick Response）が一般的であるが、ＰＤＦ４１７、ベリコード、或いはマキシコード等を採用することも可能である。
【００１７】
図３に示す如く、送り主は、前記宅配伝票１に必要事項を記入した後、該宅配伝票１と宅配物３とを取次店やコンビニエンスストアへ持参し、そこで店員が前記宅配伝票１の記入を確認し料金を受け取った上で、送り主控えを送り主に手渡すと共に、取扱所控えを保管し、宅配伝票１と広告シール４とをそれぞれ剥離紙２から剥がして図２に示すように宅配物３に貼り付ける。尚、送り主が宅配便業者へ宅配物３の引取りを依頼した場合には、宅配便業者の配送員が送り主の自宅等に直接出向き、前述と同様、前記宅配伝票１の記入を確認し料金を受け取った上で、送り主控えを送り主に手渡すと共に、取扱所控えを保管し、宅配伝票１と広告シール４とをそれぞれ剥離紙２から剥がして図２に示すように宅配物３に貼り付ける。この後、前記宅配物３は宅配便業者により、受け取り主へ届けられる。
【００１８】
そして、当選番号の抽選は定期的（例えば、毎月）に行われており、受け取り主は、前記宅配物３に貼り付けられた広告シール４の広告掲載欄の広告を見る一方、携帯電話機のバーコードリーダーを兼ねる内蔵カメラでＱＲコード（登録商標）等の二次元コードを撮影し、図４に示す如く、宅配便業者の携帯用のキャンペーンサイトにアクセスし当選番号を確認する。又、バーコードリーダーのついていない携帯電話機の場合、受け取り主は、パソコンにＵＲＬを入力し、インターネット上の宅配便業者のキャンペーンサイトにアクセスし当選番号を確認することができる。この際、受け取り主は景品も確認でき、当選している場合には、当選番号と合致する抽選番号が印字された広告シール４と引き換えに景品を獲得することができる。
【００１９】
仮に、当選していなかったとしても、商品に興味がある場合には、受け取り主は、図５に示す如く、前記宅配便業者のキャンペーンサイトから「商品一覧」を選択し、全国各地の名産品を掲載したページにアクセス可能となり、気に入った商品が見つかれば、商品を注文でき、商品注文者は宅配便で商品を送ってもらうことになる。従って、宅配便利用の増加につながる。
【００２０】
又、受け取り主は、図６に示す如く、前記宅配便業者のキャンペーンサイトから「スポンサー企業一覧」を選択し、スポンサー企業のサイトから資料請求をすることもできる。
【００２１】
一方、前記商品の注文者のリストは、図７に示す如く、データベースとして管理し、随時、担当者による情報の追加・更新を行ってサーバーに情報を蓄積し、例えば、九州の居住者には北海道の名産品、北海道の居住者には他の地域の名産品といった具合に、メールに写真を添付して季節毎にＰＲする商品の案内を前記注文者に送るようにしても良い。前記注文者が再度商品を注文する際には、再び宅配便を使うことになるので宅配便業者の収益が上がることになる。
【００２２】
このように、前記宅配便業者にとっては、広告収入が新たな収入源となり収益が上がるだけでなく、宅配便利用者が増え、宅配便全体の売り上げが増えるメリットがある。
【００２３】
前記広告スポンサーにとっては、斬新な広告で話題が集まり注目度が高くなるメリットがある。
【００２４】
前記取次店やコンビニエンスストアにとっては、宅配便利用者が増え、手数料収入が増えると同時に、来店客が多くなるので店の売り上げが増えるメリットがある。
【００２５】
前記送り主にとっては、利用者が増えれば、宅配便業者のコストを下げることが可能となり、送料が安くなるメリットがある。
【００２６】
前記受け取り主にとっては、年賀はがきと同じように抽選で全国各地の名産品が当たる楽しみが生まれるメリットがある。
【００２７】
こうして、単なる広告掲載にとどまらず、宅配便利用者による広告スポンサーのキャンペーンサイトへのアクセスを可能とし、新たな商品の注文に伴う宅配便利用の増加を図ることができ、且つ景品当選といった宅配便利用者にとっての別の楽しみをも付加し得、宅配便業者、広告スポンサー、取次店、送り主、並びに受け取り主それぞれにとって有益となる。
【００２８】
尚、本発明の宅配便活用広告情報供給システムは、上述の図示例にのみ限定されるものではなく、本発明の要旨を逸脱しない範囲内において種々変更を加え得ることは勿論である。
【図面の簡単な説明】
【００２９】
【図１】本発明を実施する形態の一例における宅配伝票裏面の剥離紙に予め貼り付けられる広告シールを示す図である。
【図２】本発明を実施する形態の一例における宅配物に宅配伝票と広告シールとを貼り付けた状態を示す斜視図である。
【図３】本発明を実施する形態の一例における宅配物の搬送経路を示す概念図である。
【図４】本発明を実施する形態の一例における携帯電話機での当選番号確認手順を示す図である。
【図５】本発明を実施する形態の一例における携帯電話機での商品注文手順を示す図である。
【図６】本発明を実施する形態の一例における携帯電話機での広告スポンサー選択手順を示す図である。
【図７】本発明を実施する形態の一例における商品の注文者のリストをデータベースとして管理する場合の概念及び画面構成を示す図である。
【符号の説明】
【００３０】
１  宅配伝票
２  剥離紙
３  宅配物
４  広告シール
【図１】
2009014976.tif 000003
【図２】
2009014976.tif 000004
【図３】
2009014976.tif 000005
【図４】
2009014976.tif 000006
【図５】
2009014976.tif 000007
【図６】
2009014976.tif 000008
【図７】
2009014976.tif 000009